(57)【要約】      （修正有）【課題】ウイルスの飛沫感染を有効に防止できるとともに容易に設置することができ、コストも低く高い強度を有するシールド用のパーテーションを提供する。【解決手段】シールド本体２と、シールド本体の左右の両端をそれぞれ支持する一対のスタンド部３と、スタンド部に支持されたシールド本体の位置を固定する固定部材９を具備した自立可能なシールド用パーテーション１であって、シールド本体は２枚の板材を重ね合わすことで構成され、スタンド部はそれぞれ、長尺の板材をＬ字状に折り曲げることで形成されて挟持片４ａ、４ｂと、挟持片の下端に連設された支持片５ａ、５ｂとを具備した一対のスタンド片３ａ、３ｂを具備し、それぞれの挟持片によって挟持部４が構成されるとともにそれぞれの支持片によって支持部５が構成され、シールド本体は、挟持部に挟持されることでスタンド部に支持され、スタンド片を構成する板材は、長手方向に沿って複数の突条部を具備する。【選択図】図１
0003231413.tif 000002
【実用新案登録請求の範囲】
【請求項１】
シールド本体（２）と、該シールド本体（２）の左右の両端をそれぞれ支持する一対のスタンド部（３）と、該スタンド部（３）に支持された前記シールド本体（２）の位置を固定するための固定部材（９）と、を具備した、自立可能なシールド用パーテーションであって、
前記シールド本体（２）は、２枚の板材（２ａ、２ｂ）を重ね合わすことで構成され、
前記スタンド部（３）はそれぞれ、
それぞれが、長尺の板材（６）をＬ字状に折り曲げることで形成されて、挟持片（４ａ、４ｂ）と、該挟持片（４ａ、４ｂ）の下端に連設された支持片（５ａ５ｂ）とを具備した一対のスタンド片（３ａ、３ｂ）を具備し、それぞれの挟持片（４ａ、４ｂ）によって挟持部（４）が構成されるとともにそれぞれの支持片（５ａ、５ｂ）によって支持部（５）が構成され、
前記シールド本体（２）は、前記挟持部（４）に挟持されることでスタンド部（３）に支持され、
前記板材（６）は、長手方向に沿って複数の突条部（７）を具備している、ことを特徴とするシールド用パーテーション。
【請求項２】
前記シールド本体（２）は、表裏面に光触媒層を具備したことを特徴とする請求項１に記載のシールド用パーテーション。
【請求項３】
前記シールド本体（２）は、上下動自在にして挟持部（４）に挟持されていることを特徴とする請求項１又は請求項２に記載のシールド用パーテーション。
【請求項４】
前記シールド本体（２）は、透明なプラスチック製であることを特徴とする請求項１乃至請求項３のいずれかに記載のシールド用パーテーション。
【考案の詳細な説明】
【技術分野】
【０００１】
本考案はシールド用のパーテーションに係り、より詳しくは、会議や打ち合わせ、あるいは窓口における接客の際における飛沫感染を防止するために用いられるシールド用パーテーションに関する。
【背景技術】
【０００２】
従来、病院や診療所、調剤薬局等の医療機関や、銀行等の金融機関の窓口業務では、不特定多数の外来者と対面するために、インフルエンザウイルス等の飛沫感染を防止するため、受付カウンターや窓口カウンター等の患者と対面するカウンターに、カウンターの内と外を仕切って、飛沫感染を防止するための防護パネルを設けることが行われている。
【０００３】
そして、この防護パネルを用いることにより、カウンターの内部にいる応対者が外来者等の飛沫を受けることをガードすることが可能となり、特に医療従事者等が感染することを防止することが可能である。
【０００４】
また、医師等が患者と診察室等で対面して診察や説明をする際においても、医師と患者との間に、飛沫を防護するためにパネル等を配置することも行われており、これにより、医師等への二次感染を防止可能としている。
【先行技術文献】
【特許文献】
【０００５】
【特許文献１】実用新案登録第３１５２４９３号公報
【特許文献２】特開２０１１−３０７３８号公報
【特許文献３】特開２０１１-４１６８６号公報
【考案の概要】
【考案が解決しようとする課題】
【０００６】
しかしながら、従来から用いられている飛沫感染防止用の防護パネル等は、窓口のカウンター等に取り付けて固定する構成のために、設置作業が面倒であるとともに、価格も高いという問題点が指摘されている。
【０００７】
その一方、西暦２０２０年（令和２年）における２月頃から流行している新型のコロナウイルスは、世界的に大流行して多数の感染者、死者が発生しているため、多数の箇所で感染を防止する必要があり、設置が容易で、価格も安い防護手段が望まれているが、設置作業が面倒であるとともに価格も高い従来の防護手段では十分な対応ができないという問題点が指摘されている。
【０００８】
また、日本国内においても、濃厚接触による飛沫感染等を防止するために、テレワーク等が推奨されているが、医療機関においては患者の治療や入院のために患者と接触する必要があり、窓口や診察においては不特定多数の者と対面しなければならないのが実情であるため、設置が容易で価格も安い防護手段が望まれている。
【０００９】
更に、企業等においても、テレワークでは対応できない職種も多数存在し、これらの職種では、対面による会話、会議等をせざるを得ない場合がある。そのために、対面で会議等を行う場合には、飛沫を防護するガード等を用いることは不可欠であるが、従来の防護手段は前述したように、設置作業が面倒であるとともに、価格も高いという問題点がある。
【００１０】
また、新型コロナな流行を受けて小売業のレジ等ではビニール製のシートを吊るしていることがあるが、ビニール製のシートでは強度が低いという問題点が指摘されている。
【００１１】
そこで、本考案は、ウイルス等の飛沫感染を有効に防止できるとともに、容易に設置することができ、コストも低く、更に高い強度を有するシールド用のパーテーションを提供することを課題としている。
【課題を解決するための手段】
【００１２】
本考案のシールド用パーテーションは、シールド本体と、該シールド本体の左右の両端をそれぞれ支持する一対のスタンド部と、該スタンド部に支持されたシールド本体の位置を固定するための固定部材と、を具備した、自立可能なシールド用パーテーションであって、
前記シールド本体は、２枚の板材を重ね合わすことで構成され、
前記スタンド部はそれぞれ、
それぞれが、長尺の板材をＬ字状に折り曲げることで形成されて、挟持片と、挟持片の下端に連設された支持片とを具備した一対のスタンド片を具備し、それぞれの挟持片によって挟持部が構成されるとともにそれぞれの支持片によって支持部が構成され、
前記シールド本体は、前記挟持部に挟持されることでスタンド部に支持され、
前記板材は、長手方向に沿って複数の突条部を具備している、ことを特徴としている、ことを特徴としている。
【考案の効果】
【００１３】
本考案のシールド用パーテーションは、飛沫を防止するためのシールド本体をスタンド部で支持して自立可能としているために、特に面倒な作業を行うことなく、対面式の窓口カウンターや会議等を行うデスクの上に容易に設置することが可能である。
【００１４】
また、シールド本体は、２枚の板材を重ね合わすことで構成されているために、板材間に資料等を挟むことができるので、資料を相手に提示することが容易である。
【００１５】
更に、スタンド部は一対のスタンド片を具備しており、このスタンド片はそれぞれ、長尺の板材をＬ字状に折り曲げることで形成されているが、本考案では、スタンド片を構成する板材は、長手方向に沿って複数の突条部を具備しているために、単なる板材を折り曲げた場合と異なり、高い強度のあるスタンド部を得ることが可能である。
【００１６】
従って、本考案のシールド用パーテーションによれば、ウイルスの飛沫感染を有効に防止しながら、窓口における対面業務、企業等における会議等を行うことが可能であるとともに、強度も備えた、シールド用パーテーションを得ることができる。
【図面の簡単な説明】
【００１７】
【図１】本考案のシールド用パーテーションの実施例の斜視図である。
【図２】本考案のシールド用パーテーションの実施例の正面図である。
【図３】本考案のシールド用パーテーションの実施例の側面図である。
【図４】本考案のシールド用パーテーションの実施例における板材を説明するための図である。
【考案を実施するための形態】
【００１８】
本考案のシールド用パーテーションは、２枚の板材を重ね合わすことで構成されたシールド本体を有しており、このシールド本体の左右の両端はそれぞれ、スタンド部により挟持され、それにより、本考案のシールド用パーテーションは自立可能としている。
【００１９】
また、本考案のシールド用パーテーションは、固定部材を有しており、この固定部材は、スタンド部に支持されたシールド本体の位置を固定するために用いられる。
【００２０】
そして、スタンド部はそれぞれ、スタンド片を有しており、このスタンド片はそれぞれ、長尺の板材をＬ字状に折り曲げることで形成されており、挟持片と、この挟持片の下端に連設された支持片とを具備し、それぞれの挟持片によって挟持部が構成されるとともにそれぞれの支持片によって支持部が構成され、シールド本体は、挟持部に挟持されることでスタンド部に支持されている。
【００２１】
また、スタンド片を構成する板材は、長手方向に沿って複数の突条部を具備している。
【００２２】
ここで、シールド本体は、表裏面に光触媒層を具備するとよく、これにより、シールド本体に付着したウイルスを分解除去する機能が期待される。
【００２３】
また、シールド本体は、上下動自在にして挟持部に挟持するとよく、これにより、シールド本体をわずかに上昇して、デスクとシールド本体間に僅かな空間を形成することで、飛沫を互いに防止しつつ、資料等を相手方に渡すことが可能である。
【００２４】
更に、シールド本体は、透明なプラスチック製にするとよく、これにより対面による会話、会議等を行うことが可能となる。
【実施例１】
【００２５】
本考案のシールド用パーテーションの実施例について、図面を参照して説明すると、図１は本実施例のシールド用パーテーションの斜視図、図２は正面図、図３は側面図であり、図において１が、本実施例のシールド用パーテーションである。
【００２６】
そして、本実施例のシールド用パーテーション１は、シールド本体を有しており、このシールド本体によって対面する相手方からの飛沫を防護している。
【００２７】
即ち、図において２がシールド本体であり、本実施例において前記シールド本体２は、透明なアクリル製で、四角形状の板状とし、本実施例においては横１００ｃｍ、縦６５ｃｍの寸法としている。そのために、対面による接客や会議等においても、相手方を容易に見ることが可能である。但し、寸法は特に限定されない。
【００２８】
また、シールド本体の素材は特に限定されず、必ずしもアクリルには限定されない、従って、その他のプラスチック製としてもよい。また、シールド本体の形状に関しても、必ずしも四角形状には限定されず、その他の形状にしてもよい。
【００２９】
次に、本実施例において前記シールド本体２は、図１、３に示されるように、同一の形状寸法の板材２ａ、２ｂを２枚重ねて構成している。そのために、板材２ａ、２ｂ間に資料等を挟むことが可能であり、会議等において資料等を相手方に見せながら会話を行うことも可能である。
【００３０】
なお、本実施例において前記シールド本体２は、その表裏面に、光触媒層を具備している。そのため、光触媒の有する除菌、抗ウイルス機能により、シールド本体２に付着したウイルス等を除去することができ、対面して接客や会議等を行う者を、ウイルス等の飛沫感染から有効に防護することが期待できる。
【００３１】
シールド本体２の表裏面に光触媒層を具備する方法としては、光触媒のスプレーや塗料によって、シールド本体２の表裏面に噴霧、塗布することで光触媒層を具備する方法や、光触媒を含有した紙等のシート状製品をシールド本体２の表裏面に貼り付けることで光触媒層を具備する方法が考えられる。しかし、シールド本体２の表裏面に光触媒層を具備することが可能であれば、いずれの方法を採用して触媒層を具備しても良い。
【００３２】
また、光触媒の種類は特に限定されないが、本実施例では、光触媒としてチタンアパタイトを用いている。周知のようにチタンアパタイトは、富士通研究所と東京大学先端科学技術研究センターの共同研究で開発されたもので、アパタイト結晶中に酸化チタンを導入して製造され、有機物を確実に吸着するアパタイトの機能と、吸着した有機物を水と二酸化炭素にまで完全に酸化分解する酸化チタンの効果を併せ持つものである。そのために、本実施例ではシールド本体２が室内等に浮遊している埃、塵、菌、有害物質等の有機物を吸着し、確実に酸化分解することができるので、ウイルスの飛沫感染から防護することが期待される。
【００３３】
次に、図において３は、前記シールド本体２を支持するためのスタンド部である。即ち、本実施例のシールド用パーテーション１は、前記シールド本体２をスタンド部３で支持することとしており、これにより、自立可能としている。従って、会議テーブルや、窓口カウンター等の上に設置することができ、容易に、所望する箇所に設置して飛沫感染を防止することが可能である。
【００３４】
ここで、前記スタンド部３について説明すると、本実施例において前記スタンド部３は一対個有しており、前記シールド本体２の左右側の両端をそれぞれ支持することとし、これにより本実施例のシールド用パーテーション１は、自立可能としている。
【００３５】
そして、前記スタンド部３はそれぞれ、一対のスタンド片により構成されている。即ち、図において３ａ、３ｂがスタンド片であり、このスタンド片３ａ、３ｂはそれぞれ、アルミ製としており、
【００３６】
また、前記スタンド片３ａ、３ｂは、それぞれ、長尺の板材をＬ字状に折り曲げることで形成されて、挟持片４ａ、４ｂと、この挟持片４ａ、４ｂの下端に挟持片４ａ、４ｂと直交する方向に連設された支持片５ａ、５ｂを具備し、挟持片４ａ、４ｂにより挟持部４が構成され、支持片５ａ、５ｂにより支持部５が構成されている。
【００３７】
そして、スタンド部３は、前記支持片５ａ、５ｂが互いに反対方向へ向く配置で、挟持片４ａ、４ｂを背中合わせになるように重ねて構成されており、シールド本体２は、挟持部４に挟持されることでスタンド部３に支持されている。
【００３８】
次に、図４は前記スタンド片３ａ、３ｂを構成する長尺の板材６の一部を示した斜視図である。そして、本実施例において前記板材６は、長尺の平板状で、長手方向に沿って複数の突条部７を有している。即ち、本実施例においては、長手方向に見た両端部分及び中央部分の厚さを多くし、その部分を突条部７とし、その突条部７の間を凹条部８としている。そのために、本実施例では、スタンド片３ａ、３ｂの強度を高くすることができ、それにより、高い強度のあるスタンド部３にすることが可能である。なお、本実施例において前記板材６は、幅２５ｍｍとしており、突条部７及び凹条部８の幅は５ｍｍとしており、突条部７の厚みを３ｍｍ、凹条部８の厚みを１．５ｍｍとしている。但し、この寸法は特に限定されない。
【００３９】
次に、図において９は、挟持部４に挟持されたシールド本体２の位置を固定するための固定部材であり、本実施例において固定部材９は、互いに連結又は連結の解除を可能としたボルト及びナットとしている。一方、前記挟持片４ａ、４ｂにはボルトが貫通する貫通孔が形成され、前記シールド本体２における前記挟持部４に挟持される部分には、縦方向に向けて複数個の貫通孔が、間隔を置いて形成されている。そしてこれにより、ボルト９によって、一方のスタンド片４ａ、シールド本体２、他方のスタンド片４ｂを貫通し、更に貫通したボルトの先端にナットを連結することで、シールド本体２をスタンド部３に固定して位置を固定することが可能である。
【００４０】
そして、このとき、シールド本体２における前記挟持部４に挟持される部分に形成した貫通孔は縦方向に向けて複数個としているために、シールド本体２におけるボルトが貫通する貫通孔の位置を変えることで、シールド本体２を上下動させることができる。従って、シールド本体２を、任意の距離だけ上昇させた状態でスタンド部３により固定し、それによりシールド本体２の下方に空間を形成することで、この空間を通して、シールド本体２を挟んで対向する相手方に、資料や商品等の受け渡しを可能にすることも可能である。
【００４１】
次に、このように構成される本実施例のシールド用パーテーション１の作用について説明すると、本実施例のシールド用パーテーション１を使用するときは、会議を行うテーブルやデスク上、あるいは、病院や診療所、調剤薬局等の医療機関や、銀行等の金融機関の窓口カウンターに、相手方と自分との間を仕切るようにして、本実施例のシールド用パーテーション１を設置する。そして、シールド本体２の上下方向の位置を所望する位置に調整して、固定部材９によってシールド本体２の位置を固定する。
【００４２】
そうすると、シールド本体２によって相手方からの飛沫を防護することができるとともに、当方の飛沫が相手方に向かうことも防止でき、これにより、飛沫からお互いを防護することが可能である。
【００４３】
また、本実施例では、シールド本体２を、板材２ａ、２ｂを２枚重ねることで構成しているために、板材２ａ、２ｂ間に資料等を挟むことが可能であり、会議等において資料等を見せながら会話を行うことも可能である。図において９が板材２ａ、２ｂ間に挟み込んだ資料等である。
【００４４】
更に、本実施例では、シールド本体２を上下動自在としているため、シールド本体２を任意の距離だけ上昇させた状態でスタンド部３によって固定し、それによりシールド本体２の下方に空間を形成することで、空間を通して、会議等の最中に資料、商品等の受け渡しを可能にすることも可能である。
【００４５】
また、本実施例においてスタンド部３は一対のスタンド片３ａ、３ｂにより構成され、スタンド片３ａ、３ｂは長尺の板材６をＬ字状に折り曲げることで形成されているが、板材６は、長手方向に沿って複数の突条部７を具備しているために、単なる板材を折り曲げた場合と異なり、高い強度のあるスタンド部を得ることが可能である。
【００４６】
そしてこのとき、本実施例のシールド用パーテーション１では、自立可能としているため、会議テーブル、窓口カウンター等の所望する箇所に容易に設置することが可能である。
【００４７】
このように、本実施例のシールド用パーテーションによれば、ウイルスの飛沫感染を有効に防止しながら、窓口における対面業務、企業等における会議等を行うことが可能であるとともに、容易に設置することができ、コストも低く、更に高い強度を有するシールド用のパーテーションを得ることが可能である。
【産業上の利用可能性】
【００４８】
本考案のシールド用パーテーションは、所望する箇所に容易に設置することで接客や会議等を行う者を飛沫感染から有効に防護することが可能であるために、飛沫感染を防止するためのパネルの全般に適用可能である。
【符号の説明】
【００４９】
１    シールド用パーテーション
２    シールド本体
２ａ、ｂ  板材
３    スタンド部
３ａ、３ｂ  スタンド片
４    挟持部
４ａ、４ｂ  挟持片
５    支持部
５ａ、５ｂ    支持片
６    板材
７    突条部
８    凹条部
９    固定部材
【図１】
0003231413.tif 000003
【図２】
0003231413.tif 000004
【図３】
0003231413.tif 000005
【図４】
0003231413.tif 000006